(57)【特許請求の範囲】
【請求項１】
２枚の金属板を積層することにより形成し、オープンデッキ型のエンジンにおけるシリンダブロックの燃焼室に対応する複数の燃焼室穴を備えた金属積層形ガスケットにおいて、
上記燃焼室穴の穴縁で第１の金属板を折返し、その折返し部に、燃焼室穴の周りのシール部の全体の厚さを設定するための厚さ調整用のシムを挟着すると共に、上記第１の金属板の折返し側の面に、該シムよりも厚く、該シムと第１の金属板との厚さの和よりも薄い段差設定用の第２の金属板を、第１の金属板の折返し部及びシムに重ならない範囲において積層することにより構成し、
上記シムにおける燃焼室穴間のシールが不要な部位に、ガスケット厚さを識別するための穿孔からなる識別用表示部を、ガスケット下面側から覗見可能に設けた、
ことを特徴とする金属積層形ガスケット。
【請求項２】
請求項１に記載の金属積層形ガスケットにおいて、
第１の金属板の板厚を一定に、且つ、上記シムと第２の金属板との板厚の差を一定に保ちながら、該シムと第２の金属板の板厚を変えることにより、シムを挟着した第１の金属板の折返し部と第１及び第２の金属板の積層部との間の段差が一定で全体厚さを異にするガスケット群を構成可能にした、
ことを特徴とする金属積層形ガスケット。
【請求項３】
請求項１または２に記載の金属積層形ガスケットにおいて、
第１の金属板に挟着されるシムにおける燃焼室穴間のシールが不要な部位に、該シムの誤組を防止するための穿孔からなる誤組防止用表示部を、ガスケット下面側から覗見可能に設けた、
ことを特徴とする金属積層形ガスケット。
【発明の詳細な説明】
【０００１】
【発明の属する技術分野】
本発明は、オープンデッキ型エンジンにおけるシリンダヘッドとシリンダブロックとの間に介装されるシリンダヘッドガスケットとして好適な金属積層形ガスケットに関するものである。
【０００２】
【従来の技術】
複数の金属板を積層することにより形成し、シリンダブロックの燃焼室に対応する複数の燃焼室穴を備えた金属積層形ガスケットにおいて、各燃焼室穴の穴縁で一方の外層の金属板を折返すことにより、該燃焼室穴の周囲のシール部における金属板の積層厚さを調節して他の平坦部よりも厚く形成し、その部分に締め付け時の面圧を集中させるようにした金属積層形のガスケットは、内燃機関のシリンダヘッドとシリンダブロックとの間に介装されるシリンダヘッドガスケットとして、従来より広く知られている。
上記シリンダヘッドガスケットにおいては、そのガスケット厚さを微細に調節した複数種のグレードの製品を製造する場合、それらを目視では識別することができず、製造後にはそのグレードのチェックを行うことが困難になる場合が考えられる。
【０００３】
このような問題を解決するものとして、本発明者らは、特願平１１−２３９２１号において、第１の金属板の折返し部により挟着されるシムにおける該折返し部の端縁部側に、ガスケット厚さを識別するための識別用表示部を設け、上記第１の金属板における折返し部と第２の金属板の間から該表示部を目視可能に露出させることにより、ガスケットの全体厚さを容易に確認することができる金属積層形ガスケットを提案している。
上記既提案の金属積層形ガスケットは、シムを挟着した第１の金属板の厚さを一定にして、全体的な積層厚さの調整を該第１の金属板の厚さに依存せず、シムと第２の金属板の厚さを調整することにより、ガスケットの全体厚さを所要の厚さに設定できると共に、折返す側の第１の金属板の折返し部に割れが発生するのを抑止でき、しかも、シムを挟着した第１の金属板の折返し部と第１及び第２の金属板の積層部との間の段差を一定に保ちながら、ガスケットの全体厚さ、すなわちグレードを調整することができる点で有効なものであり、そのうえ、特にクローズドデッキ型のエンジンにおけるシリンダヘッドとシリンダブロックとの間に介装した場合に、上記ガスケットを構成する第１の金属板の折返し部に挟着するシムを利用して、ガスケットの全体厚さを容易に確認することができるものである。
【０００４】
しかしながら、当該ガスケットをオープンデッキ型のエンジンに適用した場合には、上記識別用表示部を目視することができない場合が考えられ、必ずしもガスケットの全体厚さを容易には確認できない可能性がある。
また、上記ガスケットにおいては、特に上記第１の金属板に挟着されるシムの外周形状がある程度の対象性を有する場合、該シムを上記金属板に組み付ける際に、組み付け方向を間違えることがあり、これがトラブルの原因になる。この場合、一旦誤組を行うと、そのチェックを容易に行うことが困難になることが多い。
【０００５】
【発明が解決しようとする課題】
叙上に鑑みて、本発明の技術的課題は、２枚の金属板を積層することにより形成した、オープンデッキ型のエンジンにおけるシリンダヘッドとシリンダブロックとの間に介装される金属積層形ガスケットにおいて、当該ガスケットを構成する金属板の折返し部に挟着するシムを利用し、ガスケットの全体厚さを容易に確認することができる金属積層形ガスケットを提供することにある。
また、本発明の他の技術的課題は、第１の金属板に挟着されるシムの組み付け方向を容易に確認することができるようにして、該シムの誤組を容易に確認することができる金属積層形ガスケットを提供することにある。
【０００６】
【課題を解決するための手段】
上記課題を解決するための本発明は、２枚の金属板を積層することにより形成し、オープンデッキ型のエンジンにおけるシリンダブロックの燃焼室に対応する複数の燃焼室穴を備えた金属積層形ガスケットにおいて、上記燃焼室穴の穴縁で第１の金属板を折返し、その折返し部に、燃焼室穴の周りのシール部の全体の厚さを設定するための厚さ調整用のシムを挟着すると共に、上記第１の金属板の折返し側の面に、該シムよりも厚く、該シムと第１の金属板との厚さの和よりも薄い段差設定用の第２の金属板を、第１の金属板の折返し部及びシムに重ならない範囲において積層することにより構成し、上記シムにおける燃焼室穴間のシールが不要な部位に、ガスケット厚さを識別するための穿孔からなる識別用表示部を、ガスケット下面側から覗見可能に設けたことを特徴とするものである。
【０００７】
本発明の金属積層形ガスケットのさらに具体的な構成態様においては、第１の金属板の板厚を一定に、且つ、上記シムと第２の金属板との板厚の差を一定に保ちながら、該シムと第２の金属板の板厚を変えることにより、シムを挟着した第１の金属板の折返し部と第１及び第２の金属板の積層部との間の段差が一定で全体厚さを異にするガスケット群を構成することができる。
【０００８】
また、上記金属積層形ガスケットにおいては、シムにおける燃焼室穴間のシールが不要な部位に、該シムの誤組を防止するための穿孔からなる誤組防止用表示部を、ガスケット下面側から覗見可能に設けるのが適切である。
【０００９】
上記構成を有する本発明の金属積層形ガスケットは、２枚の金属板を積層することにより形成した、オープンデッキ型のエンジンにおけるシリンダヘッドとシリンダブロックとの間に介装される金属積層形ガスケットにおいて、当該ガスケットを構成する第１の金属板の折返し部に挟着するシムを利用し、該シムにおける燃焼室穴間のシールが不要な部位に、ガスケット厚さを識別するための穿孔からなる識別用表示部を、ガスケット下面側から覗見可能に設けているので、ガスケットの全体厚さを容易に確認することができる。
また、上記第１の金属板に挟着されるシムにおける燃焼室穴間のシールが不要な部位に、該シムの誤組を防止するための穿孔からなる誤組防止用表示部をガスケット下面側から覗見可能に設けているので、該シムの組み付け方向を容易に確認することができ、延いては該シムの誤組を可及的に抑止し、組付け後の誤組のチェックも容易に行うことができる。
【００１０】
【発明の実施の形態】
以下に、本発明の金属積層形ガスケットの実施の形態を図面に基づいて詳細に説明するに、図１及び図２は、本発明を、オープンデッキ型の四気筒エンジンにおけるシリンダヘッドとシリンダブロックとの間に介装されるシリンダヘッドガスケットに適用した場合を示している。
【００１１】
この金属積層形ガスケット１は、図１に示すように、シリンダブロックの燃焼室に対応する４つの燃焼室穴７ａ〜７ｄ、並びにそれらの穴７ａ〜７ｄの周辺に分散して、締付ボルトで締め付けるための必要数のボルト穴９及び必要数の水穴及びオイル穴等の流体穴１１を備え、図２及び図３に明確に示すように、折返し加工に耐える板厚を有する第１の金属板３と、後述の段差の調整に供する第２の金属板５を積層することにより形成されている。
そして、上記第１の金属板３における燃焼室穴７の穴縁において、該金属板３の折返し部３ａに、各燃焼室穴７ａ〜７ｄの周りのシール部の全体厚さを設定するための厚さ調整用の４連シム１３を挟着すると共に、上記金属板３の折返し側の面に、該シム１３より厚く、該シム１３と金属板３との厚さの和よりも薄い段差設定用の第２の金属板５を、第１の金属板３の折返し部３ａ及びシム１３に重ならない範囲において積層することにより、上記金属板３における折返し部３ａと第２の金属板５の積層部との間にガスケット段差（ｔ１＋ｔ３−ｔ２）を形成し、それにより、上記燃焼室穴７ａ〜７ｄの周囲のシール部を他の平坦部よりも厚く形成し、締付ボルト（図示省略）による締め付け時において、その部分に面圧を集中させるようにしている。
そして、上記第１の金属板３の板厚を一定に、且つ、上記シム１３と第２の金属板５との板厚の差を一定に保ちながら、該シム１３と第２の金属板５の板厚を変えることにより、上記シム１３を挟着した第１の金属板３の折返し部３ａと第１の金属板３及び第２の金属板５の積層部との間の段差が一定で全体厚さＴを異にする各種グレードのガスケット群が構成される。
【００１２】
また、上記第１の金属板３における上記折返し部３ａの端縁部に対向する部分の近辺に位置させて、シール用面厚を高めるためのビード３ｂを形成すると共に、上記シム１３における上記金属板３のビード３ｂの内側に位置させて、シール用面圧を高めるためのビード１３ａを形成している。これらのビード３ｂ，１３ａは必ずしも設ける必要はない。
【００１３】
そして、上記ガスケット１の全体厚さＴを識別するため、図４に示すように、上記シム１３におけるそれぞれの燃焼室穴７ａ〜７ｄ間のシールが不要な部位には、ガスケット１の下面側から覗見できるように、穿孔からなる識別用表示部１５を設けている。
なお、図においては、この識別用表示部１５を燃焼室穴７ａ−７ｂ間、７ｂ−７ｃ間及び７ｃ−７ｄ間に設けているが、該表示部１５は、それらの燃焼室穴間のいずれか、またはそれらのうちの複数箇所に設けることにより、当該ガスケット１のガスケット厚さ（グレード）を識別するものであり、また、それを設ける位置、あるいはその形状によってガスケット厚さを識別することもできる。
【００１４】
さらに、上記第１の金属板３の折返し部３ａで挟着されるシム１３における燃焼室穴７ａ−７ｂ間のシールが不要な部位には、該シム１３の左右方向の誤組を防止するため、ガスケット１の下面側から覗見できるように、穿孔からなる誤組防止用表示部１７を設けている。この誤組防止用表示部１７は、それを設ける位置、すなわち該表示部１７がガスケット１の左右方向のいずれに変位した位置に覗見できるかによって、上記シム１３の組み付け方向を確認することができるものであり、燃焼室穴７ａ−７ｂまたは７ｃ−７ｄ間のいずれか一方に設けることができるものである。
【００１５】
上記構成を有する金属積層形ガスケット１は、当該ガスケット１を構成する第１の金属板３の折返し部３ａに挟着するシム１３を利用し、該シム１３における燃焼室穴間７ａ〜７ｄ間のシールが不要な部位に、ガスケット厚さを識別するための識別用表示部１５を、ガスケット１の下面側から覗見可能に設けているので、該ガスケット１の全体厚さを容易に確認することができる。
また、上記第１の金属板３に挟着されるシム１３における燃焼室穴７ａ−７ｂ間のシールが不要な部位に、該シム１３の誤組を防止するための誤組防止用表示部１７をガスケット１の下面側から覗見可能に設けているので、該シム１３の組み付け方向を容易に確認することができ、延いては該シム１３の誤組を可及的に抑止し、組付け後の誤組のチェックも容易に行うことができる。
【００１６】
なお、上述した実施例においては、上記識別用表示部１５及び誤組防止用表示部１７を穿孔からなるものとしたが、それに限定されず、切欠や突起等、それを設ける位置または数、若しくはその形状によって識別することができる適宜の手段を採用することができるものである。
また、本発明の金属積層形ガスケットは、四気筒エンジンに限らず、他の多気筒エンジンにおける金属積層形ガスケットに適用することもできる。
【００１７】
【発明の効果】
以上に詳述したように、本発明の金属積層形ガスケットによれば、２枚の金属板を積層することにより形成した、オープンデッキ型のエンジンにおけるシリンダヘッドとシリンダブロックとの間に介装される金属積層形ガスケットにおいて、当該ガスケットを構成する第１の金属板の折返し部に挟着するシムを利用し、該シムにおける燃焼室穴間のシールが不要な部位に、ガスケット厚さを識別するための穿孔からなる識別用表示部を、ガスケット下面側から覗見可能に設けているので、ガスケットの全体厚さを容易に確認することができる。
また、上記第１の金属板に挟着されるシムにおける燃焼室穴間のシールが不要な部位に、該シムの誤組を防止するための穿孔からなる誤組防止用表示部をガスケット下面側から覗見可能に設けているので、該シムの組み付け方向を容易に確認することができ、延いては該シムの誤組を可及的に抑止し、組付け後の誤組のチェックも容易に行うことができる。
【図面の簡単な説明】
【図１】本発明の金属積層形ガスケットの実施例を示す平面図である。
【図２】図１のＡ−Ａ線における拡大断面図である。
【図３】図１のＢ−Ｂ線における拡大断面図である。
【図４】本発明の金属積層形ガスケットにおけるシムの正面図である。
【図５】同識別用表示部及び覗見用表示部の部分拡大正面図である。
【符号の説明】
１    金属積層形ガスケット
３，５    金属板
７ａ〜７ｄ    燃焼室穴
１３ａ  折返し部
１３    シム
１５    識別用表示部
１７    誤組防止用表示部
【図１】
0003751786.tif 000002
【図２】
0003751786.tif 000003
【図３】
0003751786.tif 000004
【図４】
0003751786.tif 000005
【図５】
0003751786.tif 000006